(57)【要約】【課題】内部収容機器操作毎のカバーの、面倒な取り外し、取り付け作業を無くすと共に、盤内の換気を改良した制御盤を提供する。【解決手段】筐体１内に複数段に設けられた各電子・電気機器３，８，９の、正面をシャッター部材２ａで覆うように個別にシャッター装置２を設け、このシャッター部材２ａをそれぞれ対応する電子・電気機器の正面範囲内で上下方向に開閉可能に構成したので、電子・電気機器を操作する場合は、対応するシャッター装置２を開操作すればよく、従来のようにねじ止めによるカバーの取外し、取付け作業がなくなり、作業性が良くなるとともに、安全性も向上する。【選択図】  図３
2004180447.tif 000002
【特許請求の範囲】
【請求項１】
少なくとも正面扉を有する筐体と、
この筐体内に複数段に設けられた電子・電気機器と、
これら複数段に設けられた各電子・電気機器の、前記正面扉と対向する正面を覆うように個別に設けられたシャッター部材を有し、このシャッター部材をそれぞれ対応する電子・電気機器の正面範囲内で上下方向に開閉可能に構成した複数のシャッター装置と、
を備えたことを特徴とする制御盤。
【請求項２】
シャッター部材は、透光性材料で作られていることを特徴とする請求項１に記載の制御盤。
【請求項３】
筐体の天井部には外部への排気ファンユニットが設けられ、かつ筐体の背面部にはフィルターを有する吸気口が形成されていることを特徴とする請求項１に記載の制御盤。
【請求項４】
筐体の天井部には外部への排気ファンユニットが設けられ、かつ正面扉にはフィルターを有する吸気口が形成され、最下段のシャッター部材を除く各シャッター部材の下端部は正面扉の裏面に向って湾曲していることを特徴とする請求項１に記載の制御盤。
【請求項５】
正面扉に設けた吸気口は、最上段のシャッター部材を除く各シャッター部材と対向する範囲にわたって縦長に形成されていることを特徴とする請求項３に記載の制御盤。
【請求項６】
電子・電気機器はモニタ画面と引き出し式のキーボードを含み、これらモニタ画面及びキーボードと正面扉との間にはシャッター装置を設けないことを特徴とする請求項１に記載の制御盤。
【発明の詳細な説明】
【０００１】
【発明の属する技術分野】
本発明は、各種プラント機器の制御用等に用いられる制御盤に関する。
【０００２】
【従来の技術】
一般に、プラント機器等の制御用に用いられる制御盤は、筐体内部に各種の電子・電気機器を収容しており、点検時に点検者を感電事故から保護する目的等で、その表面部を透明なカバーで覆っている（例えば、特許文献１参照）。
【０００３】
このような従来の制御盤の一例を、図５、図６及び図７を参照して説明する。従来の制御盤は、筐体２１内に、上部よりＣＰＵ２６、モニタ画面２７、キーボード２８、サーバ３１、電源ユニット３３等の電子・電気機器を複数段に収容している。また、これらの電子・電気機器のうち、モニタ画面２７及びキーボード２８以外の機器表面部には、アクリル板等による透明なカバー２４を、ねじ２５によって取り付け、作業者の安全性を確保している。なお、図中、３１はＣＰＵ電源ランプ、３２はサーバ電源ランプである。
【０００４】
このような制御盤において、制御操作を行う場合は、正面扉３５を開け、モニタ画面２７の電源をオン操作し、モニタ２７下部の引出し装置２９によりキーボード２８を引きだし、操作する。その際、モニタ画面２７、キーボード２８の引出し装置２９以外は、前述のように、安全のためにカバー２４が取り付けられているので、これらＣＰＵ２６やサーバ３１、或いは電源ユニット３３を操作するときは、それぞれのカバー２４を取外さなければならない。
【０００５】
このカバー２４の取り外し作業は、カバー２４を固定しているねじ２５を外さなければならず、狭い筐体内での作業が面倒であり、ねじ２５の脱落が生じると、ねじ２５が充電部分に接触して短絡事故を起こす恐れがある。また、当然ながら操作終了後は、カバー２４を取り付ける作業が発生するため、多くの作業時間を要するとともに、感電事故の恐れ等、安全上の問題がある。
【０００６】
また、この種の制御盤では、筐体２１の天井部に排気ファンユニット２３を設け、その運転により、正面扉３５の下部に設けた吸気口２２のフィルターを介して外部より空気３４を引き込み、内部収容機器（サーバー３１，ＣＰＵ２６等）の冷却を行っている。しかし、この場合、図７の矢印で示すように、カバー２４が空気３４の流れに対する遮へい物となり、内部サーバ３１，ＣＰＵ２６が効率良く冷却されない問題もある。
【０００７】
【特許文献１】
特開平７−１４３６２１号公報（図１、図４）
【０００８】
【発明が解決しようとする課題】
このように、従来の制御盤では、内部機器を操作する度に、その正面部を覆うカバー２４をねじ操作により取り外し、機器操作終了後は取り付けしなければならず、作業に多くの時間を要するとともに、事故発生の恐れなど安全性についても改良すべき課題があった。
【０００９】
本発明の目的は、内部収容機器操作時における面倒なカバーの取り外し、取り付け作業を無くすと共に、盤内の換気を改良した制御盤を提供することにある。
【００１０】
【課題を解決するための手段】
本発明による制御盤は、少なくとも正面扉を有する筐体と、この筐体内に複数段に設けられた電子・電気機器と、これら複数段に設けられた各電子・電気機器の、前記正面扉と対向する正面を覆うように個別に設けられたシャッター部材を有し、このシャッター部材をそれぞれ対応する電子・電気機器の正面範囲内で上下方向に開閉可能に構成した複数のシャッター装置とを備えたことを特徴とする。
【００１１】
この場合、シャッター部材は透光性材料で作るとよい。
【００１２】
また、本発明では、筐体の天井部には外部への排気ファンユニットが設けられ、かつ筐体の背面部にはフィルターを有する吸気口が形成されている構成でもよい。
【００１３】
また、本発明では、筐体の天井部には外部への排気ファンユニットが設けられ、かつ正面扉にはフィルターを有する吸気口が形成され、最下段のシャッター部材を除く各シャッター部材の下端部は正面扉の裏面に向って湾曲しているように構成してもよい。
【００１４】
この場合、正面扉に設けた吸気口は、最上段のシャッター部材を除く各シャッター部材と対向する範囲にわたって縦長に形成するとよい。
【００１５】
さらに、本発明では、電子・電気機器はモニタ画面と引き出し式のキーボードを含んだ場合、これらモニタ画面及びキーボードと正面扉との間にはシャッター装置を設けない構成とする。
【００１６】
これらの発明では、筐体内に複数段に設けられた各電子・電気機器の正面をシャッター部材で覆うように個別にシャッター装置を設け、このシャッター部材をそれぞれ対応する電子・電気機器の正面範囲内で上下方向に開閉可能に構成したので、これら電子・電気機器を操作する場合は、対応するシャッター装置を開操作すればよく、従来のようにねじ止めによるカバーの取外し、取付け作業がなくなり、作業性が良くなるとともに、安全性も向上する。
【００１７】
【発明の実施の形態】
以下、本発明による制御盤の一実施の形態を、図面を参照して説明する。
【００１８】
図１はこの実施の形態による制御盤の外観を示す斜視図、図２はその内部正面図、図３は内部側面図である。
【００１９】
図１乃至図３において、制御盤を構成する筐体１は、正面扉１６を有し、その天井部には外部への排気ファンユニット１１が設けられている。また、筐体１内部には、図２及び図３で示すように、上部よりＣＰＵ３、モニタ画面５、キーボード６及びその引き出し装置７、サーバ８、電源ユニット９等の電子・電気機器が複数段に収容されている。なお、図中、４はＣＰＵ電源ランプ、１０はサーバ電源ランプである。
【００２０】
これら複数段に設けられた電子・電気機器のうち、モニタ５、キーボード６及びその引き出し装置７を除くＣＰＵ３、サーバ８、電源ユニット９の、正面扉１６の裏面と対向する正面には、シャッター装置２がそれぞれ設けられている。これらシャッター装置２は、対応する電子・電気機器、すなわち、ＣＰＵ３、サーバ９、電源ユニット８を個別に覆うシャッター部材２ａを有し、このシャッター部材２ａを、それぞれ対応する電子・電気機器の正面範囲内で上下方向に開閉可能に構成している。
【００２１】
シャッター部材２ａは、透光性材料で作られている。すなわち、シャッター部材２ａが閉状態においても、図２で示すように、ＣＰＵ３及びサーバ８の電源ランプ４，１０が正面側から確認できるように、透明又は半透明の透光性材料を用いている。
【００２２】
また、筐体１の正面扉１６及び背面部には、図３で示すように、フィルターを有する吸気口１２がそれぞれ形成されている。ただし、この実施の形態では、正面扉１６に設けた吸気口１２は塞ぎ板１３により閉塞しておく。また、この実施の形態では、筐体１の天井部に設けた排気ファンユニット１１は、筐体１１の正面寄り（図３の左方）に配置する。
【００２３】
上記構成において、制御盤内部を操作する場合、操作者は、正面扉１６を開放し、筐体１内部に設置されているキーボード６を、引き出し装置７によって手前に引き出し、モニタ画面５を目視しながら所望の操作を行う。このとき、筐体１内に設けられたシャッター装置２は閉状態であるが、シャッター部材２ａが透明又は半透明のため、ＣＰＵ３及びサーバ９の電源ランプ４，１０が点灯状態かを確認できる。
【００２４】
また、ＣＰＵ３の操作の必要がある場合は、その正面に設けられたシャッター装置２を開操作する。すなわち、シャッター部材２ａを下から押し上げ、図３で示すように、その上部を奥行き方向に移動させることにより、容易に開操作することができる。このように、対応するシャッター装置２を開操作したことにより、対応するＣＰＵ３の操作が可能となる。シャッター部材２ａは、途中の高さで静止できるので、上下に積まれた２つのＣＰＵ３のうち、下方のＣＰＵを操作したければ、下方のＣＰＵ３の上部位置まで、シャッター部材２ａの下縁を押し上げれば操作可能となる。
【００２５】
対応するＣＰＵ３に対する操作終了後は、単にシャッター部材２ａを押し下げるだけの簡単な操作により、元のシャッター閉状態に復帰させることができる。
【００２６】
これらの操作は、サーバ８や電源ユニット９を操作する時も同じであり、対応するシャッター部材２ａに上下方向の力を加えることにより、シャッター部材２ａを容易に押し上げ、押し下げることができるので、作業が効率アップすると共に感電等を確実に防止でき、安全性が向上する。
【００２７】
また、正面扉１６を閉じた、通常の運用状態における盤内換気については、図３に示すように、天井に設けた排気ファンユニット１１を運転することにより、筐体１の背面に形成した吸気口１２からフィルターを介して外気１４を吸い込み、複数段に設置された各電子・電気機器を冷却しながら効率よく換気できる。
【００２８】
次に、図４で示す実施の形態を説明する。この実施の形態の制御盤も、図１乃至図３で示した制御盤と大差ないが、複数段に設けられた電子・電気機器に対応するシャッター装置２のうち、最下段のシャッター部材２ａを除く各段シャッター部材２ｂ，２ｃの下端部を、正面扉１６の裏面に向って湾曲している。
【００２９】
この実施の形態による制御盤は、図４のように、背面壁１５近くに設置される場合に適し、正面扉１６の吸気口１２は開放し、背面側の吸気口１２は塞ぎ板１３で塞ぎ、正面扉１６に設けられた吸気口１２からフィルターを介して外気１４を吸い込むようにする。この場合、正面扉１６に設けた吸気口１２は、最上段のシャッター部材２ｃを除く各シャッター部材２ｂ，２ａと対向する範囲にわたって縦長に形成するとよい。
【００３０】
また、天井に設けた排気ファンユニット１１は、図示のように、筐体１の背面寄り（図４の右方）に配置するとよい。
【００３１】
上記構成において、正面扉１６を閉じた、通常の運用状態における盤内換気については、図４に示すように、天井に設けた排気ファンユニット１１を運転することにより、筐体１の正面扉１６に形成した吸気口１２からフィルターを介して外気１４を吸い込む。
【００３２】
筐体１内では、最下段を除く各シャッター部材２ｂ、２ｃの下端が、正面扉１６の裏面側に湾曲されているため、正面側吸気口１２から吸込まれた空気は、各シャッター部材２ｂ、２ｃの下端湾曲部によって案内され、図示のように、それぞれ各段のＣＰＵ３に流れる。そして、これら対応するＣＰＵ３を冷却しながら筐体１内の後方（図４の右法）に流れ、その後、上昇して排気ファンユニット１１から外部に排気される。
【００３３】
また、最下段のシャッター部材２ａの下端は湾曲していないので、正面側吸気口１２から吸込まれた空気１４は、最下段シャッタ部材２ａの下端部からに、対応する電子・電気機器（この場合、サーバ電源ユニット８及びサーバ９）の下部に流れる。そして、これらサーバ電源ユニット８及びサーバ９を冷却しながら筐体１内の後方（図４の右方）に流れ、その後、上昇して排気ファンユニット１１から外部に排気される。
【００３４】
このように、最下段を除く各シャッター部材２ｂ、２ｃの下端に湾曲部を設け、かつ最下段のシャッター部材２ａには湾曲部を設けなかったことにより、筐体内に複数段に設けられた電子・電気機器に対して、外気を有効に流すことができ、効率的な換気が可能となった。
【００３５】
なお、ＣＰＵ３やサーバ８、電源ユニット９に対する操作に当ってのシャッター装置２の開閉は、前述した実施の形態と同じでよく、説明は省略する。
【００３６】
このように、筐体１内に複数段に収容された電子・電気機器に対して個別にシャッター装置２を設け、電子・電気機器に対する操作が必要な場合は、対応するシャッター装置２を開く、すなわちシャッター部材２ａ、２ｂ、２ｃを押し上げるだけで開き、操作可能な状態となる。操作終了後はシャッター部材２ａ、２ｂ、２ｃを押し下げるだけでシャッター装置２が閉じる。このため、ねじ止めされたカバーの取外し及び取付けを要する従来装置に比べ、作業がはるかに簡略化され、効率的な操作が可能になる。また、操作箇所以外はシャッター部材によりカバーされるため安全に作業ができ、安全性が向上する。
【００３７】
また、筐体１内における換気も、従来のようにカバーが風の流れを遮蔽することはなく、シャッター部材が、外部から吸い込んだ風を、電子・電気機器に向って流すように機能するため、効率的な換気が可能となる。
【００３８】
さらに、シャッター装置には市販のものを流用できるため、コストを低く抑えることができ、客先に対すても、盤内の体裁が向上するため良い印象を与えることができる。
【００３９】
【発明の効果】
本発明によれば、筐体内に複数段に収容された複数の電子・電気機器に対して、それの正面部にシャッター装置を個別に設けたので、電子・電気機器を操作する場合、シャッター部材を押し上げ、押し下げるだけの簡単な操作でシャッタ装置を開閉でき、従来のように、内部収容機器操作毎にねじ止めされたカバーの、面倒な取り外し、取り付け作業を無くすと共に、盤内部の換気を改良することができる。
【図面の簡単な説明】
【図１】本発明による制御盤の一実施の形態を示す斜視図である。
【図２】図１で示した制御盤の内部正面図である。
【図３】図１で示した制御盤の内部側面図である。
【図４】本発明の他の実施の形態を示す内部側面図である。
【図５】従来の制御盤を示す斜視図である。
【図６】図５で示した制御盤の内部正面図である。
【図７】図５で示した制御盤の内部側面図である。
【符号の説明】
１    筐体
２    シャッター装置
２ａ，２ｂ，２ｃ    シャッター部材
３，８，９    電子・電気機器（ＣＰＵ、サーバ、電源ユニット）
１１    排気ファンユニット
１２    吸気口
１６    正面扉
【図１】
2004180447.tif 000003
【図２】
2004180447.tif 000004
【図３】
2004180447.tif 000005
【図４】
2004180447.tif 000006
【図５】
2004180447.tif 000007
【図６】
2004180447.tif 000008
【図７】
2004180447.tif 000009